(57)【特許請求の範囲】
【請求項１】
印字が形成された印字体と、
前記印字体を保持するホルダーと、
前記印字体を被覆するように、互いに対向した状態で前記ホルダーに回動可能に軸支され、カム突起が形成された第１カバー部材及び第２カバー部材と、
前記第１カバー部材及び第２カバー部材のカム突起とそれぞれ係合するカム溝が形成されたカム部材を有し、
前記カム部材には、係合突起が形成され、
前記ホルダーには、前記係合突起と係合するカム部材用溝が形成されているカバー付印判であって、
前記カム溝は、前記第１カバー部材及び第２カバー部材のカム突起の移動方向と略一致する傾斜溝と、この傾斜溝から傾斜して形成された終端溝とから構成されており、
第１カバー部材及び第２カバー部材を開く方向に回動させると、第１カバー部材のカム突起と第２カバー部材のカム突起は、それぞれ、終端溝に係合する状態となるが、終端溝は傾斜溝から傾斜して形成されているため、第１カバー部材のカム突起と第２カバー部材のカム突起の移動方向と終端溝の形成方向が一致せず、第１カバー部材及び第２カバー部材の自重による閉じる方向への回動が阻止されるように構成されていることを特徴とするカバー付印判。
【発明の詳細な説明】
【技術分野】
【０００１】
本発明は、印字体を覆うカバーの改良に関する。
【背景技術】
【０００２】
従来から特許文献１に示されるように、印字体を円弧状カバーで覆う構造のカバー付印判が知られている。このようなカバー付印判は、印字体を保持するホルダーに円弧状のカバーを１８０°回動可能に軸支した構造のものである。非使用時には、印字体をカバーで覆うことにより、印字体に付着したインキにより、周囲が汚れてしまうことを防止することができる一方で、使用時には、カバーを１８０°回動させることにより、印字体を露出させて印字することができる。
【先行技術文献】
【特許文献】
【０００３】
【特許文献１】特開２００４−９０５７７号公報
【発明の概要】
【発明が解決しようとする課題】
【０００４】
特許文献１に示されるようなカバー付印判は、使用時に、カバーを１８０°回動させる必要が有ることから、カバーの回動距離が長く、印字体を露出させるのに手間がかかるという問題があった。
本発明は、上記問題を解決し、手間をかけずに印字体を露出させることができるカバー付印判を提供することを目的とする。
【課題を解決するための手段】
【０００５】
上記課題を解決するためになされた請求項１に記載の発明は、
印字が形成された印字体と、
前記印字体を保持するホルダーと、
前記印字体を被覆するように、互いに対向した状態で前記ホルダーに回動可能に軸支され、カム突起が形成された第１カバー部材及び第２カバー部材と、
前記第１カバー部材及び第２カバー部材のカム突起とそれぞれ係合するカム溝が形成されたカム部材を有し、
前記カム部材には、係合突起が形成され、
前記ホルダーには、前記係合突起と係合するカム部材用溝が形成されているカバー付印判であって、
前記カム溝は、前記第１カバー部材及び第２カバー部材のカム突起の移動方向と略一致する傾斜溝と、この傾斜溝から傾斜して形成された終端溝とから構成されており、
第１カバー部材及び第２カバー部材を開く方向に回動させると、第１カバー部材のカム突起と第２カバー部材のカム突起は、それぞれ、終端溝に係合する状態となるが、終端溝は傾斜溝から傾斜して形成されているため、第１カバー部材のカム突起と第２カバー部材のカム突起の移動方向と終端溝の形成方向が一致せず、第１カバー部材及び第２カバー部材の自重による閉じる方向への回動が阻止されるように構成されていることを特徴とする。
【発明の効果】
【０００８】
本発明によれば、印字が形成された印字体と、前記印字体を保持するホルダーと、
前記印字体を被覆するように、互いに対向した状態で前記ホルダーに回動可能に軸支され、カム突起が形成された第１カバー部材及び第２カバー部材と、前記第１カバー部材及び第２カバー部材のカム突起とそれぞれ係合するカム溝が形成されたカム部材を有することを特徴とする。
これにより、第１カバー部材及び第２カバー部材が閉じている状態で、ユーザが、第１カバー部材及び第２カバー部材のいずれか一方を開く方向に回動させると、第１カバー部材のカム突起と第２カバー部材のカム突起は、それぞれ、カム部材のカム溝と係合しているので、第１カバー部材及び第２カバー部材の他方もまた連動して開く。
このため、第１カバー部材や第２カバー部材の回動距離が短いので、印字体を露出させるのに手間がかからない。
【図面の簡単な説明】
【０００９】
【図１】本発明の実施の形態を示すカバー付印判の斜視図である。
【図２】カバー付印判の上面図である。
【図３】図２のＡ−Ａ断面図である。
【図４】保持部材の側面図である。
【図５】カム部材の正面図である。
【図６】第２ホルダー部材の斜視図及び裏面図である。
【図７】第１カバー部材の斜視図である。
【図８】ホルダーを除去した状態のカバー付印判の正面図及び斜視図である。
【図９】本発明のカバー付印判のカバーの動きを示した説明図である。
【発明を実施するための形態】
【００１０】
（本発明のカバー付印判の構造の説明）
以下に図面を参照しつつ、本発明の好ましい実施の形態を示す。本発明のカバー付印判１００は、図１〜図３及び図８に示されるように、保持部材１、インキ吸蔵体２、印字体３、第１ホルダー部材１１、第２ホルダー部材１２、第１カバー部材２１、第２カバー部材２２、カム部材３１とから構成されている。
【００１１】
図３、図４に示されるように、保持部材１は、円筒形状の保持部１ａの両端部に、保持部１ａの外径よりも大きい外径の閉止部１ｂ、１ｃが形成され、保持部１ａの両端に軸支部１ｄ、１ｅが形成されて構成されている。本実施形態では、軸支部１ｄは円筒形状であり、軸支部１ｅは円盤形状である。軸支部１ｅは閉止部１ｃから軸方向に離間し、軸支部１ｅはその中心で接続軸１ｆにより閉止部１ｃに接続されている。軸支部１ｅと閉止部１ｃとの間に形成される空間は、配置溝部１ｇとなっている。なお、保持部１ａは中実の円柱形状であっても差し支え無い。
【００１２】
図３に示されるように、保持部１ａの外周面には、円筒形状のインキ吸蔵体２が被着されている。インキ吸蔵体２には、多数の毛細間隙が形成されていて、インキが毛細隙間に吸蔵されるようになっている。インキ吸蔵体２としては、例えば繊維束の樹脂加工体、繊維束の熱融着加工体、フェルト加工体、フェルトのニードルパンチ加工体、合成樹脂の多孔質気泡体等の多孔質材料、軸方向のインキ誘導路を有する合成樹脂の押出成形体等が挙げられ、円筒形状に成形されて製造される。インキ吸蔵体２は、アクリル繊維、ポリエステル繊維等の合成繊維樹脂で構成されている。或いは、インキ吸蔵体２は、合成樹脂粉末の焼結体でポリビニルアセタール系のような適当な硬度を有するスポンジ体であっても差し支え無い。
【００１３】
図３に示されるように、インキ吸蔵体２の外周面には、円筒形状の印字体３が被着されている。言い換えると、印字体３と、保持部１ａの外周面との間に、インキ吸蔵体２が設けられている。印字体３は、原料ゴム、加硫剤、充填剤、軟化剤、着色剤、老化防止剤、その他の添加剤などから構成される非多孔性のゴム印材や、インキが通過できるようにスポンジゴム等の無数の連続気孔を有した多孔性ゴム印材等で構成されている。印字体３の外周面（表面）には、文字、記号、図形等の印字が形成されている。印字を形成するには、ゴムを加硫する際に、印面を彫刻した金型で加圧・加熱して作製する方法や、シート状に成形したゴムシートを、彫刻機やレーザ加工機などで彫刻して作製する方法を用いることができる。或いは、印字体３は、連続気泡を有する熱可塑性樹脂多孔質体である印材に、赤外線を吸収して発熱する物質により文字・図形等を描出した原稿を当接させ、前記原稿側から赤外線を照射することによって作製した印字や、熱可塑性樹脂の多孔質印材に発熱材微粉末を混在させ、原稿シートを使用し赤外線照射を行い形成することができる。この場合、赤外線による発熱によって、前記多孔質体の孔が溶融して塞がれることで、印字を形成することができる。
【００１４】
図１や図２に示されるように、ホルダー１０は、一側部が開放した有底円筒形状でありインキ吸蔵体２や印字体３が取り付けられた保持部材１を、その内部に収納している。本実施形態では、ホルダー１０は、軸線方向に２分割され、第１ホルダー部材１１と、第２ホルダー部材１２とから構成されている。第１ホルダー部材１１は、断面形状が円弧形状で一側端が切り欠かれた円筒状の筒部１１ａと、この筒部１１ａの一端に筒部１１ａと直交する方向に形成された略円板状の端板部１１ｂとから構成されている。同様に、第２ホルダー部材１２は、断面形状が円弧形状で一側端が切り欠かれた円筒状の筒部１２ａと、この筒部１２ａの一端に筒部１１ａと直交する方向に形成された略円板状の端板部１２ｂとから構成されている。
【００１５】
図３に示されるように、第１ホルダー部材１１の端板部１１ｂの裏面には、円形に凹陥した軸受部１１ｃが形成され、保持部材１の軸支部１ｄが軸受部１１ｃで軸支されている。図３や図６に示されるように、第２ホルダー部材１２の端板部１２ｂの裏面には、円形に凹陥した軸受部１２ｃが形成され、保持部材１の軸支部１ｅが軸受部１２ｃで軸支されている。このようにして、保持部材１が第１ホルダー部材１１及び第２ホルダー部材１２とから構成されるホルダー１０に回転自在に軸支されている。言い換えると、ホルダー１０は、保持部材１、インキ吸蔵体２及び印字体３を回転可能に保持している。このように、印字体３はホルダー１０内に収納されているので、カバー付印判１００の使用時に、ユーザの手がインキで汚れてしまうことが防止される。
【００１６】
図１や図３に示されるように、ホルダー１０の開放部には、この開放部を閉塞する第１カバー部材２１及び第２カバー部材２２が互いに対向して回動可能に取り付けられている。このように、印字体３はホルダー１０及び第１カバー部材２１及び第２カバー部材２２で被覆されているので、カバー付印判１００の非使用時に、インキで周囲が汚れてしまうことが防止される。
【００１７】
図６に示されるように、第２ホルダー部材１２の端板部１２ｂの裏面には、円弧形状の係合溝１２ｄが形成されている。本実施形態では、係合溝１２ｄは、端板部１２ｂの裏面の筒部１２ａとの接続部に沿って形成されている。図６に示されるように、端板部１２ｂの裏面には、端板部１２ｂの中心側から外側方向に向かってカム部材用溝１２ｅが形成されている。
【００１８】
図７に示されるように、第１カバー部材２１は、断面形状が円弧状に屈曲された板状の側板部２１aと、側板部２１ａの両端から側板部２１ｂと直交する方向に突出形成された板状の端部２１ｂ、２１ｃと、端部２１ｃに接続されたリング状の軸支部２１ｆとから構成されている。なお、リング状の軸支部２１ｆと側板部２１ａ断面の円弧中心とは一致している。端部２１ｂには、板状の軸支突起２１ｄと、円柱形状のカム突起２１ｅが突出形成されている。第２カバー部材２２は、第１カバー部材２１と略左右対象に形成されている。図３に示されるように、第１カバー部材２１の軸支部２１ｆ及び第２カバー部材２２の軸支部２２ｆ内に保持部材１の軸支部１ｄが挿通し、図６に示される第２ホルダー部材１２の係合溝１２ｄに第１カバー部材２１の軸支突起２１ｄと第２カバー部材２２の軸支突起２２ｄが係合して（図９に示す）、第１カバー部材２１と第２カバー部材２２が対向した状態でそれぞれ保持部材１及び第２ホルダー部材１２に回動可能に軸支されている。
【００１９】
なお、図１〜図３に示されるように、第２カバー部材２２の端部２２ｃには、操作突起２２ｇが突出形成され、ユーザがこの操作突起２２ｇに指をかけることにより、第２カバー部材２２を回動させやすくなっている。
【００２０】
次に図５を用いて、カム部材３１について説明する。カム部材３１は、基板３１ａと、この基板３１ａの長手方向中心から基板３１ａの長手方向と直交する方向（図５において紙面上方）に、基板３１ａと同一平面上に形成された突出部３１ｂと、突出部３１ｂの先端から突出部３１ｂの形成方向と直交する方向（図５において紙面手前側）に形成された係合突起３１ｃとから構成されている。基板３１ａ長手方向の中心位置の突出部３１ｂと対向する端縁（図５において紙面下側）には、円弧状に切り欠かれた切欠部３１ｄが形成されている。基板３１ａの両端には、それぞれ、カム溝３１ｅが連通又は凹陥形成されている。カム溝３１ｅは、基板３１ａの長手方向と同一方向に形成された終端溝３１ｆと、この終端溝３１ｆの外側端から、終端溝３１ｆとは傾斜して形成された傾斜溝３１ｇとから構成され、両カム溝３１ｅの傾斜溝３１ｇは、左右対称に傾斜し、略“ハ”字形状となっている。つまり、図５において、両傾斜溝３１ｇは、紙面下側に向かって拡開するように形成されている。
【００２１】
図８の（Ｂ）に示されるように、カム部材３１は、保持部材１の配置溝部１ｇに配置されている。図８の（Ａ）に示される状態では、カム部材３１の切欠部３１ｄは、保持部材１の接続軸１ｆと係合している。そして図８に示されるように、第１カバー部材２１のカム突起２１ｅと第２カバー部材２２のカム突起２２ｅは、それぞれ、カム部材３１のカム溝３１ｅと係合している。図９の（Ａ）〜（Ｄ）に示されるように、カム部材３１の係合突起３１ｃは、第２ホルダー部材１２のカム部材用溝１２ｅと係合している。なお、傾斜溝３１ｇは、第１カバー部材２１及び第２カバー部材２２のカム突起２１ｅ、２２ｅの移動方向と略一致し、終端溝３１ｆは傾斜溝３１ｇと傾斜している。
【００２２】
（本発明のカバー付印判の作用）
以下に、図９を用いて、本発明の作用について説明する。図９の（Ａ）や（Ｅ）に示されるように、第１カバー部材２１及び第２カバー部材２２が閉じている状態で、ユーザが、第１カバー部材２１及び第２カバー部材２２のいずれか一方を開く方向に回動させると、第１カバー部材２１のカム突起２１ｅと第２カバー部材２２のカム突起２２ｅは、それぞれ、カム部材３１のカム溝３１ｅ（傾斜溝３１ｇ）と係合しているので、第１カバー部材２１及び第２カバー部材２２の他方もまた連動して開く。例えば、第２カバー部材２２を開く方向に回動させると、カム突起２２ｅの傾斜溝３１ｇに沿う移動に伴い、カム部材３１が図９において上方に移動し、傾斜溝３１ｇと係合しているカム突起２１ｅに力が伝達され、第１カバー部材２１もまた連動して開く。なおこの際に、カム部材３１は、図９において上方に移動するが、カム部材３１の係合突起３１ｃが、第２ホルダー部材１２のカム部材用溝１２ｅと係合しているので、第１カバー部材２１及び第２カバー部材２２と第２ホルダー部材１２との位置関係が保持される。このように、本発明では、第１カバー部材２１及び第２カバー部材２２の一方の回動が、カム部材３１により、第１カバー部材２１及び第２カバー部材２２の他方に伝達されるので、第１カバー部材２１や第２カバー部材２２の回動距離が短く、印字体３を露出させるのに手間がかからない。
【００２３】
第１カバー部材２１や第２カバー部材２２を開く方向に回動させると、第１カバー部材２１のカム突起２１ｅと第２カバー部材２２のカム突起２２ｅは、それぞれ、終端溝３１ｆに係合する。この状態では、第１カバー部材２１及び第２カバー部材２２は、自重により閉じる方向に回動しようとするが、終端溝３１ｆは傾斜溝３１ｇから傾斜して形成されていることから、第１カバー部材２１のカム突起２１ｅと第２カバー部材２２のカム突起２２ｅの移動方向と終端溝３１ｆの形成方向が一致しないので、第１カバー部材２１及び第２カバー部材２２の閉じる方向への回動が阻止される。このため、ユーザは、第１カバー部材２１や第２カバー部材２２を手で保持する必要無しに、カバー付印判１００を使用することができる。なお、終端溝３１ｆを形成しない場合は、自重により第１カバー部材２１や第２カバー部材２２が閉じる方向に回動しないように、別途係合部を設けても差し支え無い。
【００２４】
一方で、第１カバー部材２１及び第２カバー部材２２を閉じるには、第１カバー部材２１及び第２カバー部材２２の一方を閉じる方向に回動させるだけで、第１カバー部材２１及び第２カバー部材２２の他方も連動して閉じる方向に回動される。
【００２５】
なお、カム部材３１の係合突起３１ｃを、第２ホルダー部材１２の端板部１２ｂから突出させて、係合突起３１ｃを操作用突起として操作することにより、第１カバー部材２１及び第２カバー部材２２を同時に開閉させる構成であっても差し支え無い。
【００２６】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴うカバー付印判もまた技術的範囲に包含されるものとして理解されなければならない。 
【符号の説明】
【００２７】
１      保持部材
１ａ    保持部
１ｂ    閉止部
１ｃ    閉止部
１ｄ    軸支部
１ｅ    軸支部
１ｆ    接続軸
１ｇ    配置溝部
２      インキ吸蔵体
３      印字体
１０    ホルダー
１１    第１ホルダー部材
１１ａ  筒部
１１ｂ  端板部
１１ｃ  軸受部
１２    第２ホルダー部材
１２ａ  筒部
１２ｂ  端板部
１２ｃ  軸受部
１２ｄ  係合溝
１２ｅ  カム部材用溝
２１    第１カバー部材
２１ａ  側板部
２１ｂ  端部
２１ｃ  端部
２１ｄ  軸支突起
２１ｅ  カム突起
２２    第２カバー部材
２２ａ  側板部
２２ｂ  端部
２２ｃ  端部
２２ｄ  軸支突起
２２ｅ  カム突起
２２ｆ  軸支部
２２ｇ  操作突起
３１    カム部材
３１ａ  基板
３１ｂ  突出部
３１ｃ  係合突起
３１ｄ  切欠部
３１ｅ  カム溝
３１ｆ  終端溝
３１ｇ  傾斜溝
１００  カバー付印判
【図１】
0005724376.tif 000002
【図２】
0005724376.tif 000003
【図３】
0005724376.tif 000004
【図４】
0005724376.tif 000005
【図５】
0005724376.tif 000006
【図６】
0005724376.tif 000007
【図７】
0005724376.tif 000008
【図８】
0005724376.tif 000009
【図９】
0005724376.tif 000010